(57)【特許請求の範囲】
【請求項１】
断熱箱体内に形成された貯蔵室と、前記貯蔵室の前面開口部を左右に分割して開閉する二つの扉を有し、前記二つの扉の合わせ部の表面で密閉するように回転仕切体が設けられ、前記回転仕切体の後方に所定の空間をおいて前記貯蔵室内の奥行き方向に仕切壁を設け、前記仕切壁により前記貯蔵室内を左右の領域に区画するとともに、前記空間を前記左右の領域を連通して冷気を流通させる冷気流通部としたことを特徴とする冷蔵庫。
【請求項２】
左右一方の領域にのみ冷気吸入口を設け、前記冷気流通部を介して他方の領域を冷却した冷気を前記冷気吸入口に吸入させることを特徴とする請求項１に記載の冷蔵庫。
【請求項３】
左右両方の領域に冷気吐出口を設けたことを特徴とする請求項２に記載の冷蔵庫。
【請求項４】
前記冷気吐出口と前記冷気吸入口とを前記貯蔵室内の奥部に設けたことを特徴とする請求項３に記載の冷蔵庫。
【請求項５】
前記左右の領域を同様の温度帯室としたことを特徴とする請求項２から４のいずれか一項に記載の冷蔵庫。
【発明の詳細な説明】
【技術分野】
【０００１】
本発明は、冷蔵庫の区画構成及び冷却構成に関するものである。
【背景技術】
【０００２】
従来、左右に分割された貯蔵室にそれぞれ扉を有するものが、冷蔵庫のひとつの形態として普及している（例えば、特許文献１参照）。
【０００３】
以下、従来の冷蔵庫について図面を参照しながら説明する。
【０００４】
図８は従来の冷蔵庫の正面図である。図９は従来の冷蔵庫の扉を開けた状態の斜視図である。
【０００５】
図８、図９に示すように、冷蔵庫本体１内を上下に区画する断熱区画壁２により、上部に上部区画３、下部に下部区画４が形成されている。上部区画３内は第１の区画壁５により左右に区画され、下部区画４内は第２の区画壁６により左右に区画されている。第１の区画壁５により冷蔵室７が右側領域に形成され、冷蔵室７の下部には野菜室８が区画壁９を挟んで形成されている。第１の仕切壁５によりボトル収納室１０が冷蔵室７に隣り合わせて左側領域に区画形成されている。また、第２の仕切壁６により右側領域には冷凍室１１が区画形成され、左側領域には製氷室１２が区画形成されている。
【０００６】
冷蔵室７の開口面には開閉自在に取り付けられたヒンジ開閉式扉１３が設けられている。野菜室８は開口面に開閉自在に取り付けられた引き出し式扉１４を設けており、室内側の収納容器（図示せず）を一体に引き出せるように構成されている。
【０００７】
ボトル収納室１０は開口面に開閉自在に取り付けられた引き出し式扉１５を設けており、室内側の収納容器１６、１７、１８、１９を一体に引き出せるように構成されている。また、冷凍室１１は開口面に開閉自在に取り付けられた引出し式扉２０を設けており、室内側の収納容器（図示せず）を一体に引き出せるよう構成されている。製氷室１２は開口面に開閉自在に取り付けられた引き出し式扉２１を設けており、室内側の収納容器（図示せず）を一体に引き出せるように構成されている。
【特許文献１】特開２００１−２６３９１３号公報
【発明の開示】
【発明が解決しようとする課題】
【０００８】
しかしながら、上記従来の構成では、特に使用者が目の前に対面して使用する上部区画３に関して、上部区画３内を左右に分割する第１の仕切壁５が冷蔵庫本体１の開口面まで延出されて存在するため、中でもヒンジ開閉式扉１３を開放して室内を見渡しながら使うことの多い冷蔵室７の室内に対して、使用者の目には圧迫感や閉塞感を感じさせ、視覚的に広々感が感じられないという問題点を有していた。このことは、実使用面だけの問題でなく、販売店等での購入時に室内が狭く使いにくいという印象を与え、購入意欲を減退させる要因ともなるものであった。
【０００９】
また、冷蔵室７とボトル収納室１０とは第１の仕切壁５によって開口面から室内奥面に渡って奥行き方向に完全に区画されているためそれぞれの室内の冷却を独立して行う必要があり、室内に冷気を流通させるための吐出風路と吸入風路をそれぞれ個別に設けるため風路構成が複雑になるという問題点も同時に有していた。
【００１０】
なお、これら問題点は上部区画３で特に顕著に感じられるものであるが、下部区画４においても程度の差はあれ、同様の問題点を有するものである。
【００１１】
本発明は、上記従来の問題点に基づく課題を解決するもので、仕切壁で左右に区画された室内に関して、使用者の目に広々感を与え、かつ区画された室内を合理的に冷却する風路構成を有した冷蔵庫を提供することを目的とする。
【課題を解決するための手段】
【００１２】
上記従来の課題を解決するために、本発明の冷蔵庫は、貯蔵室の前面開口部を左右に分割して開閉する二つの扉の合わせ部の後方に所定の空間をおいて奥行き方向に仕切壁を設け、この仕切壁により貯蔵室内を左右の領域に区画するとともに、空間を左右の領域を連通して冷気を流通させる冷気流通部としたものである。
【００１３】
これによって、仕切壁が貯蔵室の前面開口部まで延出せず、室内の圧迫感や閉塞感が解消され、空間を介して左右の室間が視覚的に連通して広々感が創出されると同時に、空間を通じて左右の室間に冷気を流通でき冷却風路を合理的に構成できる。
【発明の効果】
【００１４】
本発明の冷蔵庫は、貯蔵室の前面開口部から仕切壁までの間に空間を有するので、左右の室間が視覚的に連通して使用者に広々感を感じさせることができると同時に、空間を通じて左右の室間に冷気を流通でき、冷気の吐出風路または吸入風路を簡素化した合理的な冷却風路構成が可能となる。
【発明を実施するための最良の形態】
【００１５】
請求項１に記載の発明は、断熱箱体内に形成された貯蔵室と、前記貯蔵室の前面開口部を左右に分割して開閉する二つの扉を有し、前記二つの扉の合わせ部の表面で密閉するように回転仕切体が設けられ、前記回転仕切体の後方に所定の空間をおいて前記貯蔵室内の奥行き方向に仕切壁を設け、前記仕切壁により前記貯蔵室内を左右の領域に区画するとともに、前記空間を前記左右の領域を連通して冷気を流通させる冷気流通部としたものであり、仕切壁が貯蔵室の前面開口部まで延出せず、室内の圧迫感や閉塞感が解消され、空間を介して左右の室間が視覚的に連通して使用者や購入者に広々感を感じさせることができ
る。また、この空間を通じて左右の室間に冷却用の冷気を流通でき、冷気の吐出風路または吸入風路を簡素化した合理的な冷却風路構成が可能となる。
【００１６】
請求項２に記載の発明は、請求項１に記載の発明において、左右一方の領域にのみ冷気吸入口を設け、前記冷気流通部を介して他方の領域を冷却した冷気を前記冷気吸入口に吸入させるものであり、冷気吸入口を共用した他方の領域には冷気吸入口を設けないので、室内冷却用の冷気を冷却器に帰還させる冷気吸入風路もひとつで済み風路構成が合理的に簡素化できる。
【００１７】
請求項３に記載の発明は、請求項２に記載の発明において、左右両方の領域に冷気吐出口を設けたものであり、冷気吸入口は共用しても冷気吐出口はそれぞれ専用のものを有するために、二つの領域を並列に繋いだように風路構成され、それぞれの領域の冷却設計に自由度があり領域内の温度設計や温度の均一化が容易になる。特に、冷気吸入口を有する領域は領域内に対して前後両方向から冷気が供給されることになり、領域内全体の温度分布をより均一に保つことができる。
【００１８】
請求項４に記載の発明は、請求項３に記載の発明において、前記冷気吐出口と前記冷気吸入口とを前記貯蔵室内の奥部に設けたものであり、冷気吸入口のある領域は、奥部の冷気吐出口から領域内に供給された冷気が領域内を冷却後、冷気吸入口に吸入され、冷気吸入口のない領域は、奥部の冷気吐出口から領域内に供給された冷気が領域内を前方に向け通過しながら冷却後、前部の冷気流通部の空間を介して冷気吸入口のある領域内を前部から奥部に向けて冷却しながら冷気吸入口に吸入されるため、両領域ともに領域内の冷却分布を均一化することができる。
【００１９】
請求項５に記載の発明は、請求項２から４のいずれか一項に記載の発明において、前記左右の領域を同様の温度帯室としたものであり、冷気流通部となる空間を介して両領域内を連通させても相互に温度的な影響を被ることがなく温度制御することが可能となる。
【００２０】
以下、本発明による冷蔵庫の実施の形態について、図面を参照しながら説明する。なお、この実施の形態によってこの発明が限定されるものではない。また、実施の形態間で共通の構成については、敢えて新たな符号を付すことなく先の実施の形態で用いた符号を用い、詳細な説明を省略する。
【００２１】
（実施の形態１）
図１は、本発明の実施の形態１における冷蔵庫の正面図である。図２は、同実施の形態における冷蔵庫の扉を外した状態の正面図である。図３は、同実施の形態における冷蔵庫の扉を開けた状態の斜視図である。図４は、同実施の形態における冷蔵庫の要部の平面断面図である。
【００２２】
図１から図４に示すように、冷蔵庫本体１０１は断熱箱体１０２と後述する各扉で形成され、上下に分割する区画壁１０３により上部区画１０４と下部区画１０５に分割されている。
【００２３】
上部区画１０４はその内部を第１の仕切壁１０６によって、左右の領域となる左側領域１０７と右側領域１０８とに区画されている。左側領域１０７の前面開口部を塞ぐ扉としては引き出し式扉１０９を配置し、右側領域１０８の前面開口部を塞ぐ扉としてはヒンジ開閉式扉１１０を配置している。
【００２４】
引き出し式扉１０９の幅はヒンジ開閉式扉１１０の幅よりも小さく、したがって左側領域１０７の内容積は右側領域１０８の内容積よりも小さい。そして、引き出し式扉１０９と隣り合う辺の反対側の辺にヒンジ開閉式扉１１０のヒンジ部１１１を設けた構成となっている。すなわち、換言すればヒンジ開閉式扉１１０の反ヒンジ側に引き出し式扉１０９が並設された配置構成となっている。
【００２５】
引き出し式扉１０９とヒンジ開閉式扉１１０との隣接する合わせ部の後方には、断熱箱体１０２の前面開口部から所定に間隔を有する空間１１２を冷気流通部として設けて、この空間１１２の後方に、上部区画１０４の奥部に向かって第１の仕切壁１０６が設けられている。
【００２６】
すなわち、上部区画１０４は、左側領域１０７と右側領域１０８とが第１の仕切壁１０６の前方の空間１１２で互いに連通する構成となっている。そして、上部区画１０４内は、左側領域１０７，右側領域１０８を併せてともに冷蔵温度帯の貯蔵室となっている。
【００２７】
引き出し式扉１０９で開閉される左側領域１０７内には複数の収納容器１１３が設けられ、引き出し式扉１０９と一体に引き出せるように構成されている。
【００２８】
引き出し式扉１０９と反対側のヒンジ開閉式扉１１０で開閉される右側領域１０８内には収納物を載置する複数の棚１１４を備えていて、一方の側端部を断熱箱体の内箱１１５に棚受けを設けて支持固定し、他方の側端部を第１の仕切壁１０６の側壁面に棚受けを設けて支持固定するよう構成されている。
【００２９】
低温室１１６は収納容器１１７を備えて、主として肉、魚介類、ハム等の生鮮食料品を０〜１℃程度の温度で貯蔵するよう冷蔵温度帯内で区画された収納区画であり、収納容器１１７を前後に摺動可能にするレール機構（図示せず）を内箱１１５と第１の仕切壁１０６の側壁面に、直接または間接的に設けている。
【００３０】
そして、図４に示すように、複数の棚１１４，低温室１１６の前端面が、第１の仕切壁１０６の前端面とほぼ面一となるよう前端面が揃えられている。すなわち、断熱箱体１０２の前面開口部から第１の仕切壁１０６の前端面までに設けられた空間１１２は、実質的にはその奥行きが棚１１４，低温室１１６などの室内の収納部の前端面までの間隔を有しているものである。
【００３１】
ヒンジ開閉式扉のヒンジ部１１１の反対側の扉裏面には、引き出し式扉１０９とヒンジ開閉式扉１１０との合わせ部を、その表面で密閉するように設けられた回転仕切体１１８が取り付けられている。回転仕切体１１８の具体構造は図示しないが、上部区画１０４の上下壁の少なくとも一方に、回転仕切体１１８の回動溝に入り込んで回転仕切体１１８を回動させるガイドピンが設けられ、扉開時は回転仕切体１１８がヒンジ開閉式扉１１０の裏側にその表面を断熱箱体１０２の奥行き方向とほぼ平行となるような姿勢に維持され、扉閉時には前述のガイドピンと回動溝の係合によってその表面が断熱箱体の前面開口面とほぼ平行となる姿勢に回動され、回転仕切体１１７の表面と引き出し式扉１０９とヒンジ開閉式扉１１０とがマグネットガスケット等を介して密着シールされるものである。
【００３２】
そして、図４に示すように、この回転仕切体１１８の回動領域が少なくとも第１の仕切壁１０６の前方に形成された空間１１２の範囲内に含まれるように、空間１１２の奥行き間隔を設定するものである。
【００３３】
次に、上部区画１０４内の冷却構成に関して説明する。
【００３４】
冷蔵庫本体１０１の下部に設けられた冷凍サイクルの冷却器１１９で冷却された冷気は、送風機１２０によって上部区画１０４内に強制通風作用により供給される。すなわち、送風機１２０からの冷気は冷気吐出風路１２１によって左側領域１０７に、冷気吐出風路１２２によって右側領域１０８に向けて送風され、領域内奥部に設けられた冷気吐出口１２３から左側領域１０７内に供給され、一方、領域内奥部に設けられた冷気吐出口１２４から右側領域１０８内に供給される。
【００３５】
そして、左側領域１０７内を後方から前方に向けて領域内の収納容器１１３に収納された収納物等を冷却した冷気は、前部の空間１１２より第１の仕切壁１０６の前端部を通過して右側領域１０８内に流入する。右側領域１０８内の前部に流入した冷気は、奥部下方に設けられた冷気吸入口１２５に吸入される経路で右側領域内を前方から後方に向けて棚１１３上に収納された収納物等を冷却する。
【００３６】
一方、右側領域の冷気吐出口１２４から供給された冷気は、後方から前方に向けて棚１１４上に収納された収納物等を冷却し、左側領域１０７から流入した冷気とともに冷気吸入口１２５に吸入され、冷気吸入風路１２６を通じて冷却器１１９に帰還するよう構成されている。
【００３７】
次に、下部区画１０５の構成について説明する。
【００３８】
下部区画１０５は左右に分割する第２の仕切壁１２７により、左区画と右区画に分割され、左区画は上から順に引き出し式扉１２８を備えた製氷室１２９、引き出し式扉１３０を備えた冷凍室１３１が配置され、右区画は上から順に引き出し式扉１３２を備えた野菜室１３３、引き出し式扉１３４を備えた冷凍室１３５が配置されている。
【００３９】
ここで、第２の仕切壁１２７は上部区画の第１の仕切壁１０６と上下方向で略同一面上に配置するよう配置されている。すなわち、第１の仕切壁１０６と第２の仕切壁１２７とは冷蔵庫本体１０１の前方から見て上下方向でほぼ一直線上に連なるような位置関係に配置され、冷蔵庫本体１０１を上下に区画するために左右方向に一直線上に配置された区画壁１０３と十文字に交差するように構成されている。
【００４０】
以上のように構成された冷蔵庫について、次にその作用について説明する。
【００４１】
まず、第１の仕切壁１０６が存在することにより、左側領域１０７については、引き出し式扉１０９の開閉動作に伴って収納容器１１３を前後に摺動可能にするレール機構の片側をその側面に固定することができ、他方、上部区画の内箱１１５の側壁面に固定されたレール機構と対をなしてバランスよく荷重を受け、引き出し式扉１０９を安定して摺動支持することができる。
【００４２】
一方、第１の仕切壁１０６が存在することにより、右側領域１０８については、棚１１４の片側を第１の仕切壁１０６の側壁面に設けた棚受けで、他側を内箱１１５の側壁面に設けた棚受けでバランスよく荷重を受け、安定して固定支持することができる。また、低温室１１６の片側のレール機構も同時に設けて収納容器１１７の安定した摺動構造とすることができる。
【００４３】
そして、左側領域１０７と右側領域１０８とがいずれもヒンジ回転式扉を用いた室を形成する場合には両領域内に跨って収納物を収納する棚を設け、この棚の両端を内箱両側壁面で支持するようにすればよいが、本実施の形態のように、片側の領域を引き出し式扉１０９を用いた室とする場合には、ヒンジ回転式扉１１０の室の棚１１４は、その片側側端部を支持する内箱壁面を利用できず、別途これを支持する構造体を設けなければ簡便で安価な棚の支持構造を実現することができない。
【００４４】
したがって、上部区画１０４内に第１の仕切壁１０６を設けて右側領域１０８では棚１１４を支持し、また同時に左側領域１０７では引き出し式扉の収納容器１１３を摺動支持する機能を持たせることが支持構造として合理的であり、強度面でも安定するものである。
【００４５】
しかしながら、その一方で、区画内に単に仕切壁を設けて区画することは上述の従来技術でも述べたように、特に視覚的な狭さを使用者や購入者に与えてしまうことが製品に対する大きなマイナス要因となっていたが、本実施の形態によれば、第１の仕切壁１０６の前方に空間１１２を有して左側領域１０７と右側領域１０８とを視覚的にも連通させているため、特にヒンジ開閉式扉１１０を開けて、右側領域１０８の室内を見渡した際の使用者や購入者の目には手前側に開放感があるので、第１の仕切壁１０６がその奥側に続いていても圧迫感や閉塞感を感じさせず、広々感を感じさせることができるものである。
【００４６】
そして、右側領域内において、複数の棚１１４，低温室１１６の前端面は、第１の仕切壁１０６の前端面とほぼ面一となるよう前端面が揃えられており、空間１１２は、実質的にはその奥行きが棚１１４，低温室１１６などの室内の収納部の前端面までの間隔を有しているものであるので、使用者や購入者の目には統一感があってすっきりと感じられ、なお一層広々と使いやすい印象を与えることができる。
【００４７】
また、本実施の形態では、ヒンジ開閉式扉１１０と引き出し式扉１０９との合わせ部のシール構造体として、ヒンジ開閉式扉１１０の反ヒンジ側扉裏面に設けた回転仕切体１１８の回動によるシール構造が用いられ、この回転仕切体１１８の回動領域が少なくとも第１の仕切壁１０６の前方に形成された空間１１２の範囲内に含まれるように、空間１１２の奥行き間隔を設定されているので、回転仕切体１１８が回動しても第１の仕切壁１０６に干渉することがなく、支障なく扉の開閉とヒンジ開閉式扉１１０と引き出し式扉１０９との合わせ部の密閉シールとを行えるものである。
【００４８】
すなわち、本実施の形態においては、上部区画１０４の各収納構造の安定的な支持構造を提供しつつ、使用者や購入者にとって室内の広々感を提供するために第１の仕切壁１０６の前方に所定の空間１１２を設け、この空間１１２を活用して、第１の仕切壁１０６の前端面を用いることなくヒンジ開閉式扉１１０と引き出し式扉１０９とを密閉シールできる回転仕切体１１８による扉シール構造をも同時に実現できるものである。
【００４９】
なお、上述した視覚的効果は、本実施の形態のように、特に使用者が目の前に対面して使用することになる上部区画１０４に対して、中でもヒンジ開閉式扉１１０を開放して室内を見渡しながら使う右側領域１０８のような室内に対して顕著ではあるが、下部区画１０５に同様の構成を採用した場合にも一定の効果が期待できるものである。
【００５０】
次に、第１の仕切壁１０６と第２の仕切壁１２７とは冷蔵庫本体１０１の前方から見て上下方向でほぼ一直線上に連なるような位置関係に配置され、冷蔵庫本体１０１を上下に区画するために左右方向に一直線上に配置された区画壁１０３と十文字に交差するように構成されているので、断熱箱体１０２は筐体としての剛性が高まり、その結果、第１の仕切壁１０６の左側領域側の側面で収納容器１１３を摺動自在に支持するレール機構を固定し、右側領域側の側面で収納棚１１４を支持する構成としても筐体としての強度を確保することができるものである。
【００５１】
次に、上部区画１０４内の冷却構成に関しては、左側領域１０７内の奥部にある冷気吐出口１２３より供給された冷気は、冷気の流出口が前部の空間１１２であるため後方から前方に向けて領域内の収納容器１１３に収納された収納物等を冷却しながら流通し、このため左側領域１０７内はほぼ全体的にほどよく冷却される。
【００５２】
冷蔵庫内の温度分布は通常、冷却器１１９や冷気ダクトなどの冷却源が設置される庫内奥部ほど温度が低く、前部に向かうほど温度が高くなる温度分布となる。特に、扉に近い最前部は最も冷気の対流が届きにくく、特に扉棚等の収納部を最前部近傍に設ける場合には収納部の冷却を促進するのが容易ではなかった。これに対して、本実施の形態では、領域前部の空間１１２を必ず通過する冷却風路となるため、最前部近傍の各収納部に対しても冷気が供給されやすくなり、庫内の前後の温度分布の均一化を図ることができる。
【００５３】
次いで冷気は、前部の空間１１２より第１の仕切壁１０６の前端部を通過して右側領域１０８内に流入し、奥部下方に設けられた冷気吸入口１２５に吸入される過程で右側領域内を前方から後方に向けて棚１１３上に収納された収納物等をほどよく冷却する。
【００５４】
すなわち、ここで空間１１２は左側領域１０７と右側領域１０８との間の冷気流通部としての機能をも果たすことになるものである。
【００５５】
一方、右側領域の冷気吐出口１２４から供給された冷気は、後方から前方に向けて棚１１４上に収納された収納物等を冷却しながら左側領域１０７から流入した冷気と合流して冷気吸入口１２５に吸入されるので、右側領域１０８に対しては、前後方向から冷却用の冷気が供給されることになり、領域内全体が均一に冷却される効果を有する。特に本実施の形態のように、引き出し式扉１０９を有する左側領域１０７の内容積よりヒンジ開閉式扉を有する右側領域１０８の内容積が大きく、全体的な温度の均一化を図りにくい場合には、この前後両方向から冷気が供給される冷却方式によれば領域内の温度分布幅を極力小さく抑えることができ、その冷却効果は大きいものがある。
【００５６】
また、冷気吸入口１２５は共用しても冷気吐出口１２３，１２４はそれぞれ専用のものを有するために、二つの領域を並列に繋いだように風路構成され、それぞれの領域の冷却設計に自由度があり領域内の温度設計や温度の均一化も容易になる。
【００５７】
このように、第１の仕切壁１０６が存在することにより、空間１１２を通じて左右の領域間に冷却用の冷気を流通できるため、片方、すなわち本実施の形態では左側領域１０７の冷気吸入口およびそれに続く冷気吸入風路を設ける必要がなく、冷却器１１９への帰還経路を簡素化した合理的な冷却風路構成が可能となる。
【００５８】
なお、本実施の形態では左側領域１０７と右側領域１０８との双方に冷気吐出口１２３，１２４と冷気吐出風路１２１，１２２とを設けているが、左右いずれかの領域にのみ冷気吐出口および冷気吐出風路を設け、その領域と逆側の領域にのみ冷気吸入口と冷気吸入風路を設けることにより、より一層、冷却風路構成を簡素に合理化することも可能である。
【００５９】
すなわち、この場合は、一方の領域の奥部から冷気を導入し、前部まで流通する過程でその領域内を冷却し、空間１１２を介して隣接する他方の領域内に冷気を流入させて前部から奥部にかけて流通する過程でこの領域内を冷却して冷気吸入口より冷却器１１９に帰還させるものである。このように、一方の領域にある冷気吐出口から他方の領域にある冷気吸入口に謂わば直列に冷気を流通させることによって両領域をともに冷却することができるものである。
【００６０】
このような風路構成を採用する場合、冷気吐出口を設ける領域の内容積が、冷気吸入口を設ける領域の内容積よりも十分に大きいことが望ましい。本実施の形態の構成に当て嵌めるならば、右側領域１０８に冷気吐出口を、左側領域１０７に冷気吸入口を設けることである。なぜならば、指向性に富む吐出冷気をまず内容積の大きい領域の適所に向けて供給設計することにより、その領域全体の温度分布を均一化しやすくなり、またその後流入させる他の領域への冷気供給にも一定のバランス効果を有しながら流通しやすくなるためである。
【００６１】
また、本実施の形態では、左側領域１０７の温度帯と右側領域１０８の温度帯とをともに冷蔵温度帯としているため、このように空間１１２を冷気流通部として通じて両領域に冷気を連通させても相互に温度的な影響を被ることがなく温度制御することが可能となるものである。
【００６２】
なお、本実施の形態では左側領域１０７と右側領域１０８の具体的な仕様については特定していないが、たとえば、左側領域１０７を、複数の収納容器１１３内には大小のペットボトルやビン類、缶類、紙パック等の飲料、調味量などの液状物容器、その他小物や卵など従来、冷蔵室の扉棚に収納されていた収納物を主に貯蔵でき、引出し式扉１０９と一体に引き出せるよう構成したボトル収納室とし、右側領域１０８を、ヒンジ開閉式扉１１０の裏面に収納用の扉棚を有さない冷蔵室としてもよい。
【００６３】
また、左側領域１０７を野菜収納室とし、右側領域１０８をヒンジ開閉式扉１１０の裏面に収納用の扉棚を備えた冷蔵室としてもよい。この場合は、冷蔵室内に設置される複数の棚１１４の奥行きが、扉棚を設けた分だけ短くなり、これにより、棚１１４と前端面を揃えた第１の仕切壁１０６の前端面がより後方に後退するため空間１１２の奥行き間隔が広くなって、より一層空間１１２を通じての広々感を提供することができる。
【００６４】
また、同様の温度帯ということであれば左側領域１０７と右側領域１０８の双方をともに収納用途の異なる冷蔵室同志または冷凍室同志とすることも当然に可能である。
【００６５】
さらには、若干の異なる温度帯であれば組み合わせることも可能であり、例えば左側領域１０７をチルド〜パーシャルフリージングの低温室と呼ばれる概ね−３℃〜１℃の温度帯室とし、右側領域１０８を冷蔵室としても、左側領域１０７の内容積が右側領域１０８の内容積に比べて十分に小さい場合などには第１の仕切壁１０６が、特に断熱構成を有していなくても可能となる。
【００６６】
（実施の形態２）
図５は、本発明の実施の形態２における冷蔵庫の要部の平面断面図である。
【００６７】
図５に示すように、上部区画１０４内は左側領域１０７と右側領域１０８を第１の仕切壁２０１で区画され、第１の仕切壁２０１の前面には断熱箱体１０２の開口部との間に空間２０２が形成されている。
【００６８】
そして、左側領域１０７はボトル収納室として、右側領域１０８は冷蔵室として構成されている。左側領域１０７となるボトル収納室には引き出し式扉２０３が設けられており、右側領域１０８となる冷蔵室のヒンジ開閉式扉２０４には、その裏面庫内側に扉棚２０５が設けられており、左側領域１０７のボトル収納室との収納物の使い分けによって、飲料類や調味料、その他小物類や卵などの収納、取り出し時に使用者が一層使いやすく管理できるように収納区域を区分構成している。
【００６９】
したがって、空間２０２の奥行き間隔は、扉棚２０５の奥行きを含むように比較的大きく設定されることになる。これにより、冷蔵室内に設置される複数の棚１１４の奥行きが、扉棚２０５を設けた分だけ短くなり、これにより、棚１１４の前端面と前端面を揃えた第１の仕切壁２０１がより後方に後退するため空間２０２の奥行き間隔が広くなって、より一層空間２０２を通じての広々感を提供することができる。また、棚１１４の前端面と第１の仕切壁２０１の前端面がほぼ揃えられており、使用者や購入者の目には統一感があってすっきりと感じられ、なお一層広々と使いやすい印象を与えることができる。
【００７０】
また、広くなった領域前部の空間２０２を通じて扉棚２０５に対して冷気が供給され、庫内の最前部で温度が高くなりがちな扉棚２０５の温度を庫内側の温度に近づけて均一化を図ることができる。
【００７１】
さらに、左側領域１０７のボトル収納室に関連の収納物のすべてを収納する構成とせず、扉棚２０５にも収納物を区分収納する形態とすることによって、ボトル収納室の必要内容積を小さくすることがでる。これにより、引き出し式扉２０３およびこれに付随する収納容器もコンパクト化でき、引き出し機構に掛かる負荷も軽減でき、耐久信頼性や使用者の操作性も向上することができる。
【００７２】
また、扉棚２０５との収納物の区分設計により引き出し式扉２０３をよりスリムにしたり高さを低くしたりすることも可能であり、使い勝手上、外観デザイン上の改善仕様を提供できる選択の自由度も高めることができるものである。
【００７３】
（実施の形態３）
図６は、本発明の実施の形態３における冷蔵庫の要部の平面断面図である。
【００７４】
図６に示すように、上部区画１０４内を左側領域１０７と右側領域１０８とに区画する第１の仕切壁３０１は、その内部が中空に形成され、側壁面に開口した連通口３０２，３０３により左側領域１０７内に供給された冷気の一部を空間１１２を介さず右側領域１０８の適所に流通させる構成となっている。
【００７５】
このような構成とすることによって、左側領域１０７内から空間１１２を通じて右側領域１０８内に流入する冷気が、右側領域１０８の奥部に設けた冷気吸入口１２５に向けて流通する際、経路から外れた箇所が生じたとしても、また、右側領域の冷気吐出口１２４の吐出冷気の届かない箇所が生じたとしても、連通口３０２，３０３を介して空間１１２をバイパスした冷気が適所に供給され、右側領域１０８内の温度分布を均一化させることができる。
【００７６】
また、中空に形成した第１の区画壁３０１内に冷気吐出風路３０４または冷気吸入風路３０５を形成することもできる。
【００７７】
冷気吐出風路３０４を形成した場合は、連通口３０２が左側領域１０７内への冷気吐出口となり、連通口３０３が右側領域１０８内への冷気吐出口となる。この場合、冷気供給がされにくい部位に直接吐出冷気を供給することができるので、より積極的に温度ムラの解消が可能である。また、絶対的な冷却風量を確保できれば、冷気吐出風路を左右両領域に対してこの一つのみで済ませることも可能であり、風路構成を大きく簡略化できるメリットがある。
【００７８】
一方、冷気吸入風路３０５を形成した場合は、連通口３０２が左側領域１０７内からの冷気吸入口となり、連通口３０３が右側領域１０８からの冷気吸入口となる。この場合、左側領域１０７からの吸入冷気と右側領域１０８からの吸入冷気を一体に吸入できるので、冷気吸入風路を左右両領域に対してこの一つのみで済ませることができ、風路構成を簡略化しながらも冷気の吸入口はそれぞれの領域に専用で設けることができて領域内の冷却ムラを軽減することができる。
【００７９】
本実施の形態では、実施の形態１に対して上部区画１０４内前部に形成した空間１１２を通過する冷気量を敢えて減じて、その一部を第１の仕切壁３０１を介して右側領域１０８内に供給したり、そのまま冷気吸入風路３０５に回収したりするバイパス経路を設ける構成としているが、このことは、実施の形態１のように、上部区画１０４内の最前部近傍をより積極的に冷却する構成とすることが、空間１１２の奥行き間隔の大きさの程度等によっては扉周辺のシール構造を通じての庫内への熱リークや結露問題を誘発するケースも考えられることから、庫内温度の均一化と冷却ロス防止とのバランスから設計上の選択肢としての価値を有するものでもある。
【００８０】
（実施の形態４）
図７は、本発明の実施の形態４における冷蔵庫の要部の平面断面図である。
【００８１】
図７に示すように、上部区画１０４内を左側領域１０７と右側領域１０８とに区画する第１の仕切壁４０１は、その内部が断熱材で形成され、前面に空間１１２を有している。そして、左側領域１０７の奥部にのみ冷気吐出口４０２が設けられ、右側領域の奥部にのみ冷気吸入口４０３が設けられる。さらに左側領域１０７の内容積は右側領域１０８の内容積より小さく設定される。
【００８２】
なお、第１の仕切壁内の断熱材は、発泡ポリスチレンなどの断熱材を内部に挿入してもよく、また、硬質の発泡ポリウレタンなどで一体に発泡成形するものでもよい。一体発泡する場合は、断熱箱体と一体に製造現場で発泡する構造としてもよく、筐体剛性の確保の点では有利である。
【００８３】
このような構成とすることによって、左側領域１０７内と右側領域１０８内を完全な断熱区画ではないが大部分の断熱区画を施した状態にすることができる。このため、左側領域１０７内の温度帯は右側領域内の温度帯より低い温度帯に設定すると、たとえば、左側領域１０７内にまず供給される吐出冷気の冷却作用によって左側領域１０７を−１０℃〜０℃の弱冷凍，パーシャルフリージング，氷温等のマイナス温度域の低温温度帯に冷却すると、空間１１２を通じてのみ、しかも左側領域１０７を冷却した後の温度が高めの冷気が右側領域１０８に供給され、第１の仕切壁４０１による概ねの断熱区画作用とも相まって右側領域１０８内を温度帯の異なるプラス温度域の冷蔵温度帯に維持することが可能となる。
【００８４】
このため、厳格な温度管理精度を要求しない冷却仕様レベルであれば、左右両領域の異温度帯区分がきわめて簡素な風路構成で実現できるものである。
【００８５】
なお、左側領域１０７の内容積を右側領域１０８の内容積より相対的に小さく設計することによって、極力少ない冷却量で左側領域１０７内を相対的に低温温度帯に維持できるため、右側領域１０８のより高い温度帯の維持に対して過冷却成分となる因子が軽減できて好都合である。
【産業上の利用可能性】
【００８６】
以上のように、本発明にかかる冷蔵庫は、貯蔵室の前面開口部から所定の空間を有して仕切壁を配置し、左右の貯蔵領域を区画するので、扉開時に使用者に広々感を感じさせることができると同時に、空間を通じて左右領域を合理的に冷却できるので、同様のレイアウトを有する他の冷却機器にも適用できる。
【図面の簡単な説明】
【００８７】
【図１】本発明の実施の形態１における冷蔵庫の正面図
【図２】同実施の形態における冷蔵庫の扉を外した状態の正面図
【図３】同実施の形態における冷蔵庫の扉を開けた状態の斜視図
【図４】同実施の形態における冷蔵庫の要部の平面断面図
【図５】本発明の実施の形態２における冷蔵庫の要部の平面断面図
【図６】本発明の実施の形態３における冷蔵庫の要部の平面断面図
【図７】本発明の実施の形態４における冷蔵庫の要部の平面断面図
【図８】従来の冷蔵庫の正面図
【図９】従来の冷蔵庫の扉を開けた状態の斜視図
【符号の説明】
【００８８】
１０１  冷蔵庫本体
１０２  断熱箱体
１０３  区画壁
１０４  上部区画
１０５  下部区画
１０６，２０１，３０１，４０１  第１の仕切壁（仕切壁）
１０７  左側領域
１０８  右側領域
１０９，２０３  引き出し式扉
１１０，２０４  ヒンジ開閉式扉
１１２，２０２  空間
１１４  棚
１１８  回転仕切体
１２３，１２４，４０２  冷気吐出口
１２５，４０３  冷気吸入口
１２７  第２の仕切壁
２０５  扉棚
３０２，３０３  連通口
３０４  冷気吐出風路
３０５  冷気吸入風路
【図１】
0004457990.tif 000002
【図２】
0004457990.tif 000003
【図３】
0004457990.tif 000004
【図４】
0004457990.tif 000005
【図５】
0004457990.tif 000006
【図６】
0004457990.tif 000007
【図７】
0004457990.tif 000008
【図８】
0004457990.tif 000009
【図９】
0004457990.tif 000010